(57)【要約】      （修正有）【課題】電動工具等の電動装置や、各種の電気機械器具等において、電源を接続ないし供給する手段として、簡便かつ迅速にして安全な電源の接続と遮断とを行うことができる電源接続・供給システムおよびこれを使用する電動工具の駆動方法を提供する。【解決手段】少なくとも片方の手元ないし手首部分を被覆ないし囲繞するように装着する絶縁性素材からなる装着部材２０を設け、この装着部材の一部に電気的導通接触が可能な電源端子部１６ａ、１６ｂを設けると共に、前記電源端子部に電源１０から導出される電気コード１４をそれぞれ接続した構成からなり、片手による操作を可能とする操作部を備えた電気機械器具等を対象とし、この電気機械器具等の操作部に対し、前記装着部材に設けた電源端子部と対応する位置に電源接続部を設け、前記装着部材を装着した片手を前記電気機械器具等の操作部に接触させることにより、電源の接続ないし供給を行う。【選択図】図１
2009196072.tif 000002
【特許請求の範囲】
【請求項１】
少なくとも片方の手元ないし手首部分を被覆ないし囲繞するように装着する絶縁性素材からなる装着部材を設け、この装着部材の一部に電気的導通接触が可能な電源端子部を設けると共に、前記電源端子部に電源から導出される電気コードをそれぞれ接続した構成からなり、
片手による操作を可能とする操作部を備えた電気機械器具等を対象とし、この電気機械器具等の操作部に対し、前記装着部材に設けた電源端子部と対応する位置に電源接続部を設け、
前記装着部材を装着した片手を前記電気機械器具等の操作部に接触させることにより、電源の接続ないし供給を行うように構成したことを特徴とする電源接続・供給システム。
【請求項２】
前記装着部材に設けた電源接続部に電気コードを介して接続する電源は、移動ないし携帯可能なバッテリ、商用電源ラインに接続されるコネクタ、変圧器、変成器等、および移動可能な発電機等からなる直流電源または交流電源からなることを特徴とする請求項１記載の電源接続・供給システム。
【請求項３】
前記装着部材に設ける電源端子部は、相互に絶縁配置された一対の可撓性導電材で構成し、前記電気機械器具等の操作部に設ける電源接続部は、前記一対の可撓性導電材と対応するように前記操作部に外部露呈させて電気的導通接触が可能に構成配置してなる請求項１記載の電源接続・供給システム。
【請求項４】
前記装着部材に設ける電源端子部は、一対の絶縁配置された導電端子と磁石とを備えたコネクタ構成からなり、前記電気機械器具等の操作部に設ける電源接続部は、前記一対の導電端子と対応するように前記操作部に外部露呈させて電気的導通接触が可能に構成配置される接続端子を備えると共に、前記磁石に対し吸引作用を有する磁性体を対向配置したコネクタ構成からなる請求項１記載の電源接続・供給システム。
【請求項５】
前記装着部材に設けた電源端子部に電気コードを介して接続される電源側には、電源の導通をＯＮ／ＯＦＦ制御するスイッチ機構を設け、前記電源端子部が前記電源接続部に接触した際に前記電気機械器具等の電源接続部側に設けた操作部を操作することによって、前記スイッチ機構を電気回路的にＯＮ動作させて電源の接続ないし供給が可能となるように構成したことを特徴とする請求項１ないし４のいずれかに記載の電源接続・供給システム。
【請求項６】
前記装着部材に設けた電源端子部に電気コードを介して接続される電源側には、電源の導通をＯＮ／ＯＦＦ制御するスイッチ機構を設けると共に、予め設定した電気機械器具等に設けた電源接続部側には負荷の駆動電流を補充するためのコンデンサを設け、前記電源端子部が前記電源接続部に接触した際に電源側に流れる前記コンデンサの放電電流に基づいて、前記スイッチ機構を電気回路的にＯＮ動作させて電源の接続ないし供給が可能となるように構成したことを特徴とする請求項１ないし４のいずれかに記載の電源接続・供給システム。
【請求項７】
前記装着部材に設けた電源端子部に電気コードを介して接続される電源側には、電源の導通をＯＮ／ＯＦＦ制御するスイッチ機構を設けると共に、前記装着部材の一部に予め設定した電気機械器具等に設けられた電源接続部の操作部と対応させた際に感知動作するセンサを設け、前記センサの感知動作に基づいて、前記スイッチ機構をＯＮ動作させて電源の接続ないし供給が可能となるように構成したことを特徴とする請求項１ないし４のいずれかに記載の電源接続・供給システム。
【請求項８】
前記装着部材に外部露呈させて電気的導通接触が可能となるように設けられた電源端子部には、所要の装身具等により身体に保持されたバッテリ電源から導出される電気コードをそれぞれ接続してなり、
前記装着部材に設けた電源端子部と対応する位置に電源接続部を設けた電気機械器具等の操作部に対して、前記装着部材を装着した片手を接触させることにより、電源の接続ないし供給を行うように構成したことを特徴とする電源接続・供給システム。
【請求項９】
前記操作部に電源接続部を設けた電気機械器具は、グリップハンド式で人指し指等を使用して駆動スイッチを操作するように構成した電動工具からなり、前記電動工具のグリップ部分の一部において、内蔵される電動モータを駆動させる外部電力を供給するための電源接続部を、それぞれ外部露呈させて配置してなることを特徴とする請求項１ないし８のいずれかに記載の電源接続・供給システム。
【請求項１０】
グリップハンド式で人指し指等を使用して駆動スイッチを操作するように構成した電動工具からなり、この電動工具のグリップ部分の一部において、内蔵される電動モータを駆動させる外部電力を供給するための電源接続部を、それぞれ外部露呈させて配置し、
前記電源接続部を配置した電動工具のグリップ部分を、前記請求項１ないし８のいずれかに記載の電源接続・供給システムを構成する装着部材を装着した片手で把持することにより、電源の接続ないし供給を行うように構成したことを特徴とする電動工具の駆動方法。
【請求項１１】
前記装着部材に設けた電源端子部に接続される電源側には、電源の導通をＯＮ／ＯＦＦ制御するスイッチ機構を設けると共に、電動工具に設けた電源接続部側には電動モータの起動電流を補充するためのコンデンサを設け、前記電源端子部が前記電源接続部に接触した際に電源側に流れる前記コンデンサの放電電流に基づいて、前記スイッチ機構を電気回路的にＯＮ動作させて電源の接続ないし供給が可能となるように構成したことを特徴とする請求項１０記載の電動工具の駆動方法。
【発明の詳細な説明】
【技術分野】
【０００１】
本発明は、直流電源または交流電源により電動モータ等を駆動して手動操作する電動工具等の電動装置や、前記電源を利用して手動操作するように構成した各種の電気機械器具等を取り扱う場合において、前記電源を電動モータや各種の電気機械器具に接続ないし供給する手段として、従来のような着脱嵌合式の電気コード接続コネクタ等を使用することなく、あるいは装置本体にバッテリ等の電源を内蔵することなく、簡便かつ迅速にして安全な電源の接続と遮断とを行うことによって、前記装置等の取り扱いを容易にした電源接続・供給システムおよびこれを使用する電動工具の駆動方法に関するものである。
【背景技術】
【０００２】
従来、例えば、バッテリ駆動式電動工具として、電動工具の本体とバッテリとを電気的に接続する場合において、電動工具の本体の外枠部にバッテリ差込み口を設け、このバッテリ差込み口に対応する形状のバッテリを着脱自在に本体に保持させて、バッテリと一体とさせて使用する電動工具が知られている。
【０００３】
しかるに、近年において、この種の電動工具においては、作業スピードの向上や一回の充電による作業量アップ等のパワーアップに対するニーズが増加し、必然的にバッテリが大型化してきている。このため、電動工具の総重量が重くなり、作業者が片手作業を行う場合には、操作性が悪くなるという問題を生じた。
【０００４】
そこで、電動工具の使用者が、その使用時に感じる重さを軽くすることができるように、電動工具本体とバッテリとを分離して使用することができるようにした技術が提案されている。例えば、電動工具の本体に設けるバッテリ差込み口に対し、これに対応するバッテリを保持接続可能な電池ホルスタ（携帯電源）を設け、この電池ホルスタには電気コードを介して前記電動工具本体のバッテリ差込み口に接続可能なアダプタを設けて、このアダプタを前記バッテリ差込み口に差し込むことにより、あるいは工具本体に前記バッテリ差込み口とは別にジャックを設けて、このジャックに前記電気コードのプラグを直接差し込むことにより、バッテリを本体から分離して使用するようにした電動工具が提案されている（特許文献１参照）。
【０００５】
また、前記と同様にして、工具の重量を劇的に増加すること無しに、長時間使用可能な動力工具を提供するものであって、バッテリパックをベルト上に取り付け、このベルトを衣料品に装着させて保持し、前記バッテリパックから導出される電気ケーブルを、作業者の手に持った動力工具にコネクタ接続することによって、動力工具の使用を可能とした携帯用動力工具が提案されている（特許文献２参照）。
【０００６】
【特許文献１】実開平０３−０６２７８３号公報
【特許文献２】特開平１１−２２１７８３号公報
【発明の開示】
【発明が解決しようとする課題】
【０００７】
前述した特許文献１および特許文献２においてそれぞれ提案されている電動工具ないし動力工具は、いずれも工具本体からバッテリを分離して使用することができるものであって、工具本体からバッテリの重量を除いて軽量にし、その取り扱いを容易にすることができる利点がある。
【０００８】
また、前記従来の提案においては、バッテリを工具本体から分離して使用する場合において、工具本体へのバッテリ電源の供給に際し、工具本体にはバッテリ側から導出される電気コードを着脱自在に接続するため、電気コードに設けたプラグを差し込むためのジャックを設けたり、あるいは電気コードに設けたコネクタを接続するためのコネクタ端子を設けたりしている。
【０００９】
しかしながら、前述した従来のバッテリ電源の接続方式においては、工具本体からバッテリを分離して工具を軽量化して作業を容易化できる利点はあるが、作業を中断したり、作業を一時的に休止したりする場合において、電気コードは接続された状態であり、電動工具とバッテリとは切り離されていないため、例えば電動工具を所要の場所に放置して作業者が自由に移動することができない。すなわち、作業者は、電動工具を常時保持している必要があるという面倒がある。また、前記電気コードが外部に露呈しているため、作業等に際して邪魔になる難点がある。
【００１０】
また、従来のバッテリ電源の接続方式においては、バッテリ電源が常に電動工具に接続状態であるため、電気コードやその接続器具ないし部品の不良等により、電源の接続不能や漏電等の事故の発生、これに伴うバッテリ電源の不必要な消耗等の難点がある。しかも、従来のバッテリ電源の接続方式においては、電動工具に対する電気コードの着脱操作は面倒であり、仮に電気コードを切り離したとしても、バッテリ電源と通電状態にある電気コードに不測の事故が発生する惧れがあり、電動工具の取り扱いが面倒となる難点がある。
【００１１】
そこで、本発明者は、前述した問題点を解決するため、種々検討並びに試作を重ねた結果、少なくとも片方の手元ないし手首部分を被覆ないし囲繞するように装着する絶縁性素材からなる装着部材を設け、この装着部材の一部に電気的導通接触が可能な電源端子部を設けると共に、この電源端子部に電源から導出される電気コードをそれぞれ接続した構成とし、片手による操作を可能とする操作部を備えた電動工具等の電気機械器具を対象として、この電動工具等の把持部すなわち電気機械器具の操作部に対し、前記装着部材に設けた電源端子部と対応する位置に電源接続部を設け、前記装着部材を装着した片手を前記電動工具等の把持部を接触把持することによって、電動工具等に対する電源の接続ないし供給を円滑に行うことができる電源接続・供給システムの開発に成功した。
【００１２】
なお、このように構成される電源接続・供給システムは、前記装着部材に設けた電源端子部に接続される電源側には、電源の導通をＯＮ／ＯＦＦ制御するスイッチ機構を設け、前記電源端子部が前記電源接続部に接触した際に、前記電気機械器具等の電源接続部側に設けた操作部を操作することによって、前記スイッチ機構を電気回路的にＯＮ動作させて電源の接続ないし供給が可能となるように構成することにより、前記装着部材を装着した片手が所要の電動工具等の電気機械器具に設けられた操作部としての把持部を把持するまで、電源をＯＦＦ状態に保持することができるので、電源端子部の短絡や漏電等の事故の発生を確実に防止することができることを突き止めた。
【００１３】
また、前記装着部材に設けた電源端子部に接続される電源側に、電源の導通をＯＮ／ＯＦＦ制御するスイッチ機構を設けると共に、予め設定した電気機械器具等に設けた電源接続部側には負荷の駆動電流を補充するためのコンデンサを設け、前記電源端子部が前記電源接続部に接触した際に電源側に流れる前記コンデンサの放電電流に基づいて、前記スイッチ機構を電気回路的にＯＮ動作させて電源の接続ないし供給が可能となるように構成することによよっても、前記装着部材を装着した片手が所要の電動工具等の電気機械器具に設けられた操作部としての把持部を把持するまで、電源をＯＦＦ状態に保持することができ、電源端子部の短絡や漏電等の事故の発生を確実に防止することができることを突き止めた。
【００１４】
さらに、前記装着部材に設けた電源端子部に接続される電源側に、電源の導通をＯＮ／ＯＦＦ制御するスイッチ機構を設けると共に、前記装着部材には予め設定した電気機械器具等に設けられた電源接続部の操作部と対応させた際に感知動作するセンサを設け、前記センサの感知動作に基づいて、前記スイッチ機構をＯＮ動作させて電源の接続ないし供給が可能となるように構成することによっても、前記と同様にして、前記装着部材を装着した片手が所要の電動工具等の電気機械器具に設けられた操作部としての把持部を把持するまで、電源をＯＦＦ状態に保持することができ、電源端子部の短絡や漏電等の事故の発生を確実に防止することができることを突き止めた。
【００１５】
そして、このように構成される電源接続・供給システムは、例えば、グリップハンド式で人指し指等を使用して駆動スイッチを操作するように構成した電動工具において、この電動工具のグリップ部分の一側面において、内蔵される電動モータを駆動させる外部電力を供給するための一対の電源接続部を、それぞれ外部露呈させて配置し、前記一対の電源接続部を配置した電動工具のグリップ部分を、前記構成からなる電源接続・供給システムを構成する装着部材を装着した片手で握持することにより、電源の接続ないし供給を行うようにした電動工具の簡便かつ安全な駆動方法を得ることができることを確認した。
【００１６】
従って、本発明の目的は、所要の電源により駆動ないし作動する電動工具等の電動装置や、所要の電源を利用して手動操作するように構成した各種の電気機械器具等において、前記電源を接続ないし供給する手段として、従来のような着脱嵌合式の電気コード接続コネクタ等を使用することなく、簡便かつ迅速にして安全な電源の接続と遮断とを行うことができ、前記装置等の取り扱いを容易にした電源接続・供給システムおよびこれを使用する電動工具の駆動方法を提供することにある。
【課題を解決するための手段】
【００１７】
前記の目的を達成するため、本発明の請求項１に記載の電源接続・供給システムは、少なくとも片方の手元ないし手首部分を被覆ないし囲繞するように装着する絶縁性素材からなる装着部材を設け、この装着部材の一部に電気的導通接触が可能な電源端子部を設けると共に、前記電源端子部に電源から導出される電気コードをそれぞれ接続した構成からなり、
片手による操作を可能とする操作部を備えた電気機械器具等を対象とし、この電気機械器具等の操作部に対し、前記装着部材に設けた電源端子部と対応する位置に電源接続部を設け、
前記装着部材を装着した片手を前記電気機械器具等の操作部に接触させることにより、電源の接続ないし供給を行うように構成したことを特徴とする。
【００１８】
本発明の請求項２に記載の電源接続・供給システムにおいて、前記装着部材に設けた電源接続部に電気コードを介して接続する電源は、移動ないし携帯可能なバッテリ、商用電源ラインに接続されるコネクタ、変圧器、変成器等、および移動可能な発電機等からなる直流電源または交流電源からなることを特徴とする。
【００１９】
本発明の請求項３に記載の電源接続・供給システムにおいて、前記装着部材に設ける電源端子部は、相互に絶縁配置された一対の可撓性導電材で構成し、前記電気機械器具等の操作部に設ける電源接続部は、前記一対の可撓性導電材と対応するように前記操作部に外部露呈させて電気的導通接触が可能に構成配置したことを特徴とする。
【００２０】
本発明の請求項４に記載の電源接続・供給システムにおいて、前記装着部材に設ける電源端子部は、一対の絶縁配置された導電端子と磁石とを備えたコネクタ構成からなり、前記電気機械器具等の操作部に設ける電源接続部は、前記一対の導電端子と対応するように前記操作部に外部露呈させて電気的導通接触が可能に構成配置される接続端子を備えると共に、前記磁石に対し吸引作用を有する磁性体を対向配置したコネクタ構成からなることを特徴とする。
【００２１】
本発明の請求項５に記載の電源接続・供給システムは、前記装着部材に設けた電源端子部に電気コードを介して接続される電源側には、電源の導通をＯＮ／ＯＦＦ制御するスイッチ機構を設け、前記電源端子部が前記電源接続部に接触した際に前記電気機械器具等の電源接続部側に設けた操作部を操作することによって、前記スイッチ機構を電気回路的にＯＮ動作させて電源の接続ないし供給が可能となるように構成したことを特徴とする。
【００２２】
本発明の請求項６に記載の電源接続・供給システムは、前記装着部材に設けた電源端子部に電気コードを介して接続される電源側には、電源の導通をＯＮ／ＯＦＦ制御するスイッチ機構を設けると共に、予め設定した電気機械器具等に設けた電源接続部側には負荷の駆動電流を補充するためのコンデンサを設け、前記電源端子部が前記電源接続部に接触した際に電源側に流れる前記コンデンサの放電電流に基づいて、前記スイッチ機構を電気回路的にＯＮ動作させて電源の接続ないし供給が可能となるように構成したことを特徴とする。
【００２３】
本発明の請求項７に記載の電源接続・供給システムは、前記装着部材に設けた電源端子部に電気コードを介して接続される電源側には、電源の導通をＯＮ／ＯＦＦ制御するスイッチ機構を設けると共に、前記装着部材の一部に予め設定した電気機械器具等に設けられた電源接続部の操作部と対応させた際に感知動作するセンサを設け、前記センサの感知動作に基づいて、前記スイッチ機構をＯＮ動作させて電源の接続ないし供給が可能となるように構成したことを特徴とする。
【００２４】
本発明の請求項８に記載の電源接続・供給システムは、前記装着部材に外部露呈させて電気的導通接触が可能となるように形成した電源端子部には、所要の装身具等により身体に保持されたバッテリ電源から導出される電気コードをそれぞれ接続してなり、
前記装着部材に設けた電源端子部と対応する位置に電源接続部を設けた電気機械器具等の操作部に対して、前記装着部材を装着した片手を接触させることにより、電源の接続ないし供給を行うように構成したことを特徴とする。
【００２５】
本発明の請求項９に記載の電源接続・供給システムは、前記操作部に電源接続部を設けた電気機械器具は、グリップハンド式で人指し指等を使用して駆動スイッチを操作するように構成した電動工具からなり、前記電動工具のグリップ部分の一部において、内蔵される電動モータを駆動させる外部電力を供給するための電源接続部を、それぞれ外部露呈させて配置してなることを特徴とする。
【００２６】
本発明の請求項１０に記載の電動工具の駆動方法は、グリップハンド式で人指し指等を使用して駆動スイッチを操作するように構成した電動工具からなり、この電動工具のグリップ部分の一部において、内蔵される電動モータを駆動させる外部電力を供給するための電源接続部を、それぞれ外部露呈させて配置し、
前記電源接続部を配置した電動工具のグリップ部分を、前記電源接続・供給システムを構成する装着部材を装着した片手で把持することにより、電源の接続ないし供給を行うように構成したことを特徴とする。
【００２７】
本発明の請求項１１に記載の電動工具の駆動方法は、前記装着部材に設けた電源端子部に接続される電源側には、電源の導通をＯＮ／ＯＦＦ制御するスイッチ機構を設けると共に、電動工具に設けた電源接続部側には電動モータの起動電流を補充するためのコンデンサを設け、前記電源端子部が前記電源接続部に接触した際に電源側に流れる前記コンデンサの放電電流に基づいて前記スイッチ機構がＯＮ動作して電源の接続ないし供給が可能となるように構成したことを特徴とする。
【発明の効果】
【００２８】
本発明の請求項１ないし９に記載の電源接続・供給システムによれば、電源と電動工具等の電気機械器具との接続および切り離し（遮断）が容易となり、従来のような電気コードやその接続器具ないし部品の不良等による電源の接続不能や漏電等の事故の発生、これに伴う電源の不必要な消耗等の問題を全て解消することができる。また、電源と電動工具等の電気機械器具との接続および切り離し（遮断）が容易であることから、例えば電動工具等の電気機械器具を所要の場所に放置して使用者が自由に移動することができ、電動工具等の電気機械器具の取り扱いが簡便となる。さらに、電源から手袋等の被覆部材の位置まで導出される電気コードは、作業者の衣服の中側に全て配設することができるので、作業等に際して電気コードが邪魔になるような不都合は全くない。すなわち、作業性を著しく向上することができる。さらにまた、本発明に係る電源接続・供給システムは、バッテリ等の直流電源に限らず、交流電源に対しても有効に適用することができる。
【００２９】
特に、本発明の請求項５ないし７に記載の電源接続・供給システムによれば、一対の電源端子部を設けた装着部材を装着した片手が、所要の電動工具等の電気機械器具に設けられた操作部を把持するまでは、電源をＯＦＦ状態に保持することができるので、電源端子部の短絡や漏電等の事故の発生を確実に防止することができ、前記電源と電動工具等の電気機械器具との接続および切り離し（遮断）を、より安全かつ容易化することができる。
【００３０】
特に、本発明の請求項８に記載の電源接続・供給システムによれば、所要の装身具等により身体に保持されたバッテリを電源として使用し、バッテリ電源により作動する電気機械器具等の駆動に好適に応用することができる。
【００３１】
そして、本発明の請求項９に記載の電源接続・供給システムによれば、バッテリ電源等によりその駆動を行う電動工具に対して適用することにより、本発明の作用および効果を最も有効に発揮させることができる。
【００３２】
本発明の請求項１０に記載の電源接続・供給システムを使用する電動工具の駆動方法によれば、電源と電動工具との接続および切り離し（遮断）および電動工具の駆動を容易化することができると共に、従来のような電気コードやその接続器具ないし部品の不良等による電源の接続不能や漏電等の事故の発生、これに伴う電源の不必要な消耗等の問題を全て解消することができる。また、電源と電動工具との接続および切り離し（遮断）が容易であることから、例えば電動工具を所要の場所に放置して作業者が自由に移動することができ、電動工具の取り扱いが簡便となる。
【００３３】
本発明の請求項１１に記載の電動工具の駆動方法によれば、バッテリ電源を使用する電動工具においては、その電源回路に既設の電動モータの起動電流を補充するためのコンデンサをそのまま利用して、一対の電源端子部を設けた装着部材を装着した片手が、所要の電動工具に設けられた操作部を把持するまでは、電源をＯＦＦ状態に保持することができると共に、電源端子部の短絡や漏電等の事故の発生を確実に防止することができ、前記電源と電動工具との接続および切り離し（遮断）および電動工具の駆動を、より安全かつ容易化することができる。
【発明を実施するための最良の形態】
【００３４】
次に、本発明に係る電源接続・供給システムの実施例につき、添付図面を参照しながら以下詳細に説明する。
【実施例１】
【００３５】
図１および図２は、本発明に係る電源接続・供給システムの一実施態様を示す概略構成説明図である。すなわち、図１および図２において、参照符号１０は電源を示し、この電源１０を構成する装置としては、例えば、移動ないし携帯可能なバッテリ、あるいは商用電源ラインに接続されるコネクタ、変圧器、変成器等、および移動可能な発電機等により構成することができる。従って、本発明において使用する電源１０としては、直流電源および交流電源をそれぞれ対象とすることができる。
【００３６】
この電源１０の設置された位置から、この電源１０を利用する人の片方の手１２の位置まで、適宜電気コード１４を導出する。そこで、前記片方の手１２に対しては、少なくとも片方の手元ないし手首部分を被覆ないし囲繞するように装着する絶縁性素材からなる装着部材２０を設ける。この場合、装着部材２０としては、手袋様に構成したものを図示する。そこで、この様に構成される装着部材２０の掌側には、電気的導通接触が可能な一対の電源端子部１６ａ、１６ｂを設ける。そして、これらの電源端子部１６ａ、１６ｂには、前記電源１０に接続された前記電気コード１４がそれぞれ接続される。
【００３７】
なお、本実施例において、装着部材２０の構成については、その形状等に制限はないが、絶縁性素材により作成することが安全性の面から必要である。また、本実施態様においては、装着部材２０の掌側に設ける一対の電源端子部１６ａ、１６ｂは、可撓性の導電材料により構成することが好ましい。
【００３８】
これに対し、前記電源１０により駆動ないし作動する電動工具等の電気機械器具３０には、図２に示すように、その操作部３２において、前記電源端子部１６ａ、１６ｂと対応するように、電源接続部３４ａ、３４ｂをそれぞれ外部露呈させて設けた構成とする。従って、このように構成した電動工具等の電気機械器具３０に対し、その操作部３２を前記構成からなる装着部材２０を装着した片手で把持することにより、前記装着部材２０に設けた電源端子部１６ａ、１６ｂを、前記操作部３２に設けた電源接続部３４ａ、３４ｂと適正に接触導通させて、電源１０の接続ないし供給を可能とすることができる。
【００３９】
すなわち、図１および図２に示す実施態様においては、装着部材２０に設ける電源端子部１６ａ、１６ｂは、相互に絶縁配置された一対の可撓性導電材で構成され、装着部材２０に一体的に形成される共に、前記電気機械器具３０の操作部３２に設ける電源接続部３４ａ、３４ｂは、前記一対の可撓性導電材と対応するように前記操作部３２に外部露呈させて電気的導通接触が可能に構成配置される。
【００４０】
代案として、前記装着部材２０に形成する電源端子部は、図３に示すように、一対の絶縁配置された導電端子２６ａ、２６ｂと磁石２６ｃとを備えた公知のコネクタ構成とすると共に、電気機械器具の操作部に設ける電源接続部は、図示しないが、前記電源端子部２６の一対の導電端子２６ａ、２６ｂと対応するように、電気機械器具の操作部に外部露呈させて電気的導通接触が可能に構成配置される接続端子を備えると共に、前記磁石２６ｃに対し吸引作用を有する磁性体を対向配置した公知のコネクタ構成とすることができる。このように、本実施態様においては、前記装着部材２０に設ける電源端子部２６は、装着部材２０に一体的に設けるのではなく、電源端子部２６を独立した構成とすると共に、装着部材２０に係合される状態とし、その移動範囲が前記装着部材２０から、ある程度許容されるように構成することができる。
【００４１】
このように構成することによっても、電動工具等の電気機械器具３０に対し、その操作部３２を前記構成からなる装着部材２０を装着した片手で把持することにより、前記装着部材２０に設けた電源端子部２６（導電端子２６ａ、２６ｂ）は、前記操作部に設けた電源接続部との間において、磁石２６ｃと磁性体との吸引作用により、相互に適正に接触導通させて、前記実施態様と同様に、電源１０の接続ないし供給を可能とすることができる。
【００４２】
従って、本発明の電源接続・供給システムにおいては、前記装着部材２０に設ける電源端子部１６ａ、１６ｂと、前記電気機械器具３０の操作部３２に設ける電源接続部３４ａ、３４ｂとは、前記装着部材２０が装着される片手側の位置と、前記電気機械器具３０の操作部３２との関係において、それぞれ相互に電気的に導通接触する態様であれば、前記電源端子部１６ａ、１６ｂおよび電源接続部３４ａ、３４ｂのそれぞれ設定位置や形状構造等に限定はなく、またそれらの取付け態様についても任意の構成とすることができる。
【００４３】
本実施例においては、電源１０から装着部材２０の位置まで導出される電気コード１４は、作業者の衣服の中側に全て配設することができる。これにより、作業等に際して電気コード１４が邪魔になるような不都合は全くない。従って、前記電動工具等の電気機械器具３０を駆動ないし作動する場合において、作業者にとってその作業性を著しく向上することができる。
【００４４】
なお、本実施例においては、電源１０により駆動ないし作動する電動工具等の電気機械器具３０に対し、前記装着部材２０に設けた電源端子部１６ａ、１６ｂを、前記電動工具等の電気機械器具３０に設けた前記電源接続部３４ａ、３４ｂに接触するまでは、電源１０の供給を停止しておくことが、電源端子部１６ａ、１６ｂの短絡や漏電等の事故の発生を防止するために必要である。
【００４５】
そこで、本発明においては、例えば前記装着部材２０に設けた電源端子部１６ａ、１６ｂに接続される電源１０側には、電源１０の導通をＯＮ／ＯＦＦ制御するスイッチ機構を設ける。そして、前記電源端子部１６ａ、１６ｂが前記電源接続部３４ａ、３４ｂに接触した際に、前記電動工具等の電気機械器具３０の電源接続部３４ａ、３４ｂ側に設けた操作部３２を操作することによって、前記スイッチ機構を電気回路的にＯＮ動作させて電源１０の接続ないし供給が可能となるように構成する。このように構成することにより、前記装着部材２０を装着した片手が所要の電動工具等の電気機械器具３０に設けられた操作部３２としての把持部を把持するまで、電源をＯＦＦ状態に保持することができるので、電源端子部１６ａ、１６ｂの短絡や漏電等の事故の発生を確実に防止することができ、前記電源１０と電動工具等の電気機械器具３０との接続および切り離し（遮断）を、より安全かつ容易化することができる。
【００４６】
また、前記電動工具等の電気機械器具３０に設けた前記電源接続部３４ａ、３４ｂ側には、負荷の駆動電流を補充するためのコンデンサを設けると共に、前記装着部材２０に設けた電源端子部１６ａ、１６ｂに接続される電源１０側には、電源１０の導通をＯＮ／ＯＦＦ制御するスイッチ機構を設ける。そして、前記電源端子部１６ａ、１６ｂが前記電源接続部３４ａ、３４ｂに接触した際に、電源１０側に流れる前記コンデンサの放電電流に基づいて、前記スイッチ機構を電気回路的にＯＮ動作させて電源１０の接続ないし供給が可能となるように構成する。このように構成することによっても、前記装着部材２０を装着した片手が所要の電動工具等の電気機械器具３０に設けられた操作部３２としての把持部を把持するまで、電源をＯＦＦ状態に保持することができるので、電源端子部１６ａ、１６ｂの短絡や漏電等の事故の発生を確実に防止することができ、前記電源１０と電動工具等の電気機械器具３０との接続および切り離し（遮断）を、より安全かつ容易化することができる。
【００４７】
さらに、前記電動工具等の電気機械器具３０の操作部３２には、前記電源接続部３４ａ、３４ｂと隣接して磁石等のセンサ感知部材を設けると共に、装着部材２０には、前記電源端子部１６ａ、１６ｂと隣接してホール素子等のセンサを設ける。そして、前記装着部材２０に設けられた一対の電源端子部１６ａ、１６ｂに接続される電源１０側には、電源１０の導通をＯＮ／ＯＦＦ制御するスイッチ機構を設けて、このスイッチ機構を前記センサから信号線を介して送信されるセンサ感知信号に応じて、電源１０の導通をＯＮ／ＯＦＦ制御するように構成することもできる。なお、この場合、前記信号線は電気コード１４と一体化して配線することができる。このように構成することによっても、前記と同様に、一対の電源端子部１６ａ、１６ｂを設けた装着部材２０を装着した片手が、所要の電動工具等の電気機械器具３０に設けられた操作部３２を把持するまでは、電源１０をＯＦＦ状態に保持することができ、電源端子部１６ａ、１６ｂの短絡や漏電等の事故の発生を確実に防止することができる。
【実施例２】
【００４８】
次に、前述した実施例からなる電源接続・供給システムの典型的な使用例として、電動工具に適用した実施例を示す。図４は、本発明に係る電源接続・供給システムにより駆動するように構成した電動工具４０を示すものである。
【００４９】
そこで、図４において、本実施例に係る電動工具４０は、グリップハンド式で人指し指等を使用して駆動スイッチ４６を操作するように構成したものである。この電動工具４０の操作部であるグリップ４２には、その一側面において、内蔵される電動モータを駆動させる外部電力を供給するための一対の電源接続部４４ａ、４４ｂを、それぞれ図示のように外部露呈させて配置した構成からなる。
【００５０】
このように構成した電動工具４０は、前述した図１に示す実施例の電源接続・供給システムを構成する装着部材２０を使用することにより、前記装着部材２０に設けた電源端子部１６ａ、１６ｂを、前記グリップ４２に設けた電源接続部４４ａ、４４ｂと適正に接触導通させて、電源１０の接続ないし供給を可能とすることができる。
【００５１】
本実施例において、電動工具４０は、図１に示す実施例の電源接続・供給システムを構成する装着部材２０に設けた電源端子部１６ａ、１６ｂにそれぞれ適合する電源接続部４４ａ、４４ｂを設けた構成としたが、例えば図３に示す実施態様の装着部材２０に設けた電源端子部２６（導電端子２６ａ，２６ｂおよび磁石２６ｃ）にそれぞれ適合する電源接続部として構成することも可能である。
【００５２】
また、本実施例においても、前記実施例と同様に、電動工具４０のグリップ４２に設けた前記電源接続部４４ａ、４４ｂ側には電動モータの起動電流を補充するためのコンデンサを設けると共に、前記装着部材２０に設けた電源端子部１６ａ、１６ｂに接続される電源１０側には、電源１０の導通をＯＮ／ＯＦＦ制御するスイッチ機構を設ける。そして、前記電源端子部１６ａ、１６ｂが前記電源接続部４４ａ、４４ｂに接触した際に、電源１０側に流れる前記コンデンサの放電電流に基づいて、前記スイッチ機構を電気回路的にＯＮ動作させ、電源１０の接続ないし供給が可能となるように構成する。
【００５３】
なお、バッテリ電源により駆動するように構成される電動工具においては、バッテリ電源が接続される電源回路に、電動モータの起動電流を補充するためのコンデンサを設けるのが一般的であることから、このような場合には、既設の前記コンデンサをそのまま利用することができる。また、前記コンデンサが充電不足となる場合等を考慮して、例えば前述したように、前記電源端子部１６ａ、１６ｂがグリップ４２に設けた電源接続部４４ａ、４４ｂに接触した際に、前記電動工具４０の前記グリップ４２に設けた駆動スイッチ４６を操作することによって、前記スイッチ機構を電気回路的にＯＮ動作させて電源１０の接続ないし供給が可能となる構成を併用することもできる。
【００５４】
このように構成することにより、前記装着部材２０を装着した片手が所要の電動工具等の電気機械器具３０に設けられた操作部としての把持部を把持するまで、電源をＯＦＦ状態に保持することができると共に、電源端子部の短絡や漏電等の事故の発生を確実に防止することができ、前記電源１０と電動工具等の電気機械器具３０との接続および切り離し（遮断）を、より安全かつ容易化することができる。
【００５５】
以上、本発明の好適な実施例について説明したが、本発明は前述した実施例に限定されることなく、例えば装着部材の形状や構成、電源端子部や電源接続部の形状や構成並びにそれらの設定態様等について種々の設計変更が可能であると共に、その他本発明の精神を逸脱しない範囲内において多くの設計変更を行うことができる。
【図面の簡単な説明】
【００５６】
【図１】本発明に係る電源接続・供給システムの一実施態様を示す概略構成説明図である。
【図２】本発明に係る電源接続・供給システムにおける一対の電源端子部を形成した手袋等の被覆部材と所要の電源により駆動する電動工具等の電気機械器具との接続関係を示す説明図である。
【図３】本発明に係る電源接続・供給システムの別の実施態様を示す概略構成説明図である。
【図４】本発明に係る電源接続・供給システムを適用して駆動制御を行うことができる電動工具の一実施例を示す概略構成図である。
【符号の説明】
【００５７】
１０  電源
１２  手
１４  電気コード
１６ａ、１６ｂ  電源端子部
２０  装着部材
２６  電源端子部
２６ａ、２６ｂ  導電端子
２６ｃ  磁石
３０  電動工具等の電気機械器具
３２  操作部
３４ａ、３４ｂ  電源接続部
４０  電動工具
４２  グリップ（操作部）
４４ａ、４４ｂ  電源接続部
４６  駆動スイッチ
【図１】
2009196072.tif 000003
【図２】
2009196072.tif 000004
【図３】
2009196072.tif 000005
【図４】
2009196072.tif 000006